(57)【要約】【課題】  再充填可能なユニットを容易に製作できしかも非常に高い必要のない圧力で製品を供給するディスペンサー部材を備えた容器と共に再充填可能なユニットを使用できる包装及び分与装置を提供する。【解決手段】  本発明は製品の包装及び分与装置（１）に関し、この装置は、ディスペンサー部材（４）を備えた容器（２）を用いて製品を再充填できるユニット（３）を有し、上記ユニット（３）は  本体（９）と；  製品塗布面を備えた、製品を再充填できる要素（１３）と；  上記本体（９）に取り付けられ、ディスペンサー部材（４）によって作用するスラストの影響のもとで閉じた形態から充填形態へ移りそしてディスペンサー部材（４）のない時には閉じた形態に戻るように構成される充填弁（２０）と；を備えている。【選択図】    図１
2005087736.tif 000002
【特許請求の範囲】
【請求項１】
ディスペンサー部材（４）を備えた容器（２）を用いて製品を再充填できるユニット（３）を有し；
上記ユニット（３）が
本体（９）と；
製品塗布表面を備えた、製品を再充填できる要素（１３）と；
上記本体（９）に取り付けられ、ディスペンサー部材（４）によって作用するスラストの影響のもとで閉じた形態から充填形態へ移りそしてディスペンサー部材（４）のない時には閉じた形態に戻るように構成される充填弁（２０）と；
を備えることを特徴とする製品の包装及び分与装置。
【請求項２】
容器（２）のディスペンサー部材（４）が弁ステム（５）を備えていることを特徴とする請求項１記載の製品の包装及び分与装置。
【請求項３】
ディスペンサー部材（４）がポンプステムを備えていることを特徴とする請求項１記載の製品の包装及び分与装置。
【請求項４】
また、ユニット（３）を再充填する容器（２）を有し、この容器（２）が弁ステム又はポンプステムを備えていることを特徴とする請求項１〜３のいずれか一項記載の製品の包装及び分与装置。
【請求項５】
ステムが、容器の軸線に沿って休止位置と製品の分与位置との間で容器に対して可動であることを特徴とする請求項２〜４のいずれか一項記載の製品の包装及び分与装置。
【請求項６】
充填弁を閉じた形態から充填形態に動かすのに必要な力が、ステムを休止位置から分与位置へ動かすのに必要な力より小さいかまたは等しいことを特徴とする請求項５記載の製品の包装及び分与装置。
【請求項７】
ステムを休止位置から分与位置へ動かすのに必要な力が１０ｄａＮ〜１５ｄａＮであることを特徴とする請求項５、６のいずれか一項記載の製品の包装及び分与装置。
【請求項８】
充填弁は、ディスペンサー部材が製品再充填可能ユニットに製品を供給する前に、充填形態を取るように構成されることを特徴とする請求項１〜７のいずれか一項記載の製品の包装及び分与装置。
【請求項９】
充填弁が材料の成形によって単一部片として構成されることを特徴とする請求項１〜８のいずれか一項記載の製品の包装及び分与装置。
【請求項１０】
充填弁がエラストマーの成形によって単一部片として構成されることを特徴とする請求項１〜９のいずれか一項記載の製品の包装及び分与装置。
【請求項１１】
充填弁が幾つかの構成要素を組立てることによって構成されることを特徴とする請求項１〜８のいずれか一項記載の製品の包装及び分与装置。
【請求項１２】
充填弁が再充填可能なユニットの本体（９）に取付けられることを特徴とする請求項１〜１１のいずれか一項記載の製品の包装及び分与装置。
【請求項１３】
再充填可能なユニットの本体（９）が、それを通る開口（２２）を備え、充填弁（２０）がこの開口（２２）に配置されていることを特徴とする請求項１２記載の製品の包装及び分与装置。
【請求項１４】
開口（２２）が、ユニットの内部空間（１２）に通じる凹部（２４）に配置されていることを特徴とする請求項１３記載の製品の包装及び分与装置。
【請求項１５】
充填弁が凹部（２４）から突出していないことを特徴とする請求項１４記載の製品の包装及び分与装置。
【請求項１６】
充填弁と製品再充填可能な要素との間に接触がないことを特徴とする請求項１〜１５のいずれか一項記載の製品の包装及び分与装置。
【請求項１７】
容器のディスペンサー部材が充填弁から分離される時に充填弁を閉じた形態に戻す弾性戻し部材を備えていることを特徴とする請求項１〜８のいずれか一項記載の製品の包装及び分与装置。
【請求項１８】
弾性戻し部材（２８）が、充填弁のストッパー形成部分（２５）を備えた単一部片として構成したリップの形状であることを特徴とする請求項１７記載の製品の包装及び分与装置。
【請求項１９】
弾性戻し部材（２８）が、充填弁のストッパー形成部分（２５）を備えた単一部片として構成されないばねの形状であることを特徴とする請求項１７記載の製品の包装及び分与装置。
【請求項２０】
弾性戻し部材（２８）が、本体の外表面（３１）と充填弁のストッパー形成部分（２５）に設けた肩部（５４）との間に弾性的に挿置されるらせん状ばねの形状であることを特徴とする請求項１７記載の製品の包装及び分与装置。
【請求項２１】
充填弁のストッパー形成部分は、充填弁が閉じた形態にある時には再充填可能なユニットの本体（９）によって閉じられそして充填弁が充填形態にある時には内部空間（１２）に開放する少なくとも一つのオリフィス（３８）を備えていることを特徴とする請求項１〜２０のいずれか一項記載の製品の包装及び分与装置。
【請求項２２】
ストッパー形成部分が、少なくとも二つの直径上相対した同軸オリフィス（３８）を備えていることを特徴とする請求項２１記載の製品の包装及び分与装置。
【請求項２３】
充填弁のストッパー形成部分が、充填弁と本体（９）との接触表面の伸張を減少できるようにさせる少なくとも一つのボス（５１、５２）を備えていることを特徴とする請求項１〜２２のいずれか一項記載の製品の包装及び分与装置。
【請求項２４】
充填弁が少なくとも一つの環状ボスを備えていることを特徴とする請求項２３記載の製品の包装及び分与装置。
【請求項２５】
充填弁が少なくとも二つの環状ボス（５１、５２）を備えていることを特徴とする請求項２３記載の製品の包装及び分与装置。
【請求項２６】
ボスが、オリフィス（３８）の各側に配置され、製品がオリフィス（３８）を通って内部空間（１２）に到達することを特徴とする請求項２４又は２５記載の製品の包装及び分与装置。
【請求項２７】
充填弁が、本体（９）の開口（２２）に配置された固定部分（５５）と、容器のディスペンサー部材によって作用するスラストの影響の下で上記固定部分に対して動くことのできるストッパー形成部分（２５）とを備えていることを特徴とする請求項１記載の製品の包装及び分与装置。
【請求項２８】
ストッパー形成部分（２５）が、ストッパー形成部分（２５）を上記固定部分から離れる方向に押すようにストッパー形成部分（２５）に対して支持するポンプ又は弁のステムによって作用するスラストの影響の下で上記固定部分に対して動くことができることを特徴とする請求項２７記載の製品の包装及び分与装置。
【請求項２９】
充填弁が、ディスペンサー部材（５）と共動するように構成した端部片（６０）を備え、この端部片（６０）がエラストマー部分に対して可動であることを特徴とする請求項１記載の製品の包装及び分与装置。
【請求項３０】
ストッパー形成部分（２５）が、ヒンジ形成部分（５６）を介して固定部分に結合されることを特徴とする請求項２９記載の製品の包装及び分与装置。
【請求項３１】
充填弁が、再充填可能なユニットの本体（９）内に充填弁を保持するヘッド（３３）を備えていることを特徴とする請求項１〜３０のいずれか一項記載の製品の包装及び分与装置。
【請求項３２】
へッド（３３）が、周囲部の薄い壁（３４）を備えていることを特徴とする請求項３１記載の製品の包装及び分与装置。
【請求項３３】
ユニットにおける製品再充填可能な要素がアプリケータ部材から成ることを特徴とする請求項１〜３２のいずれか一項記載の製品の包装及び分与装置。
【請求項３４】
本体に取外し自在に固着されたアプリケータ部材を把持する部材（１０）を有することを特徴とする請求項３３の記載の製品の包装及び分与装置。
【請求項３５】
アプリケータ部材が塗布中本体と一体であることを特徴とする請求項３３記載の製品の包装及び分与装置。
【請求項３６】
アプリケータ部材が弾性的に変形可能な要素、特に発泡体を備えていることを特徴とする請求項３３〜３５のいずれか一項記載の製品の包装及び分与装置。
【請求項３７】
ユニット（３）がハンドル（９０）を備えていることを特徴とする請求項１〜３６のいずれか一項記載の製品の包装及び分与装置。
【請求項３８】
ハンドル（９０）が取外しできることを特徴とする請求項３７記載の製品の包装及び分与装置。
【請求項３９】
ハンドル（９０）が折畳みできることを特徴とする請求項３７記載の製品の包装及び分与装置。
【請求項４０】
ユニット（３）が、製品再充填可能な要素と充填弁（２０）との間に挿置した格子（９５）を備えていることを特徴とする請求項１〜３９のいずれか一項記載の製品の包装及び分与装置。
【請求項４１】
容器（２）が浸漬管を備えていることを特徴とする請求項１〜４０のいずれか一項記載の製品の包装及び分与装置。
【請求項４２】
容器（２）がピストン（１０３）を備え、また容器がディスペンサー部材を備えていることを特徴とする請求項１〜４０のいずれか一項記載の製品の包装及び分与装置。
【請求項４３】
ディスペンサー部材が、エアレス型のポンプであることを特徴とする請求項４２記載の製品の包装及び分与装置。
【発明の詳細な説明】
【技術分野】
【０００１】
本発明は、例えば弁又はポンプステムを備えたディスペンサー部材をもつ容器を用いて製品を再充填できるユニットを有する形式の化粧製品の包装及び分与装置に関するものである。
【背景技術】
【０００２】
このような装置は、特に特許文献１、及び特許文献２から公知である。これらの公知の装置では、再充填可能なユニットは、ユニットの本体と一体である弾性フラップの形状であることができかつ容器からの製品による圧力の影響の下で閉じた形態から充填形態に動くことのできる充填弁を任意に備えることができる。
【特許文献１】欧州特許出願第１２０５１２５−Ａ２号
【特許文献２】欧州特許出願第１２０５１２６−Ａ１号
【０００３】
このような充填弁を備えたユニットは製作するのが比較的難しく、さらには容器のディスペンサー部材から供給される製品による圧力はフラップを開放するように十分でなければならず、このことはユニットの使用を特殊な容器に限定し、また顧客がユニットに導入できる製品の数を低減し得る。
【発明の開示】
【発明が解決しようとする課題】
【０００４】
本発明は、特に、再充填可能なユニットを容易に製作できしかも非常に高い必要のない圧力で製品を供給するディスペンサー部材を備えた容器と共に再充填可能なユニットを使用できる包装及び分与装置を提供することを目的としている。
【課題を解決するための手段】
【０００５】
本発明は、ディスペンサー部材を備えた容器を用いて製品を再充填できるユニットを有し；
このユニットが
本体と；
製品を再充填できる要素と；
本体に取り付けられ、ディスペンサー部材によって作用するスラストの影響のもとで閉じた形態から充填形態へ移りそしてディスペンサー部材のない時には閉じた形態に戻るように構成される充填弁と；
を備えて成る製品の包装及び分与装置を提供する。
【０００６】
再充填可能な要素は好ましくは、皮膚と接触するように構成され得る塗布表面を備えている。
【０００７】
本発明によって、充填弁は、容器により供給される製品の圧力に関係なく開放され得、従って再充填可能なユニットを容易に充填させる。
【０００８】
容器のディスペンサー部材は、例えば、特に加圧容器又はポンプの場合にディスペンサー弁及び相応した弁又はポンプステムを備え得る。
【０００９】
本発明による包装及び分与装置は、再充填可能なユニットだけでなく、再充填可能なユニットを再充填するように構成した容器も備え得る。
【００１０】
ステムは、容器の軸線に沿って休止位置と製品の分与位置との間で容器に対して可動であり得る。
【００１１】
充填弁を閉じた形態から充填形態に動かすのに必要な力は、ステムを休止位置から分与位置へ動かすのに必要な力より小さいかまたは等しくできる。
【００１２】
ステムを休止位置から分与位置へ動かすのに必要な力は、例えば１０ｄａＮ〜１５ｄａＮであり得る。
【００１３】
充填弁は、ディスペンサー部材が製品再充填可能ユニットに製品を供給する前に、充填形態を取るように構成され得る。
【００１４】
好ましくは、充填弁は、材料、特にエラストマーの成形によって単一部片として構成されるが、しかし、充填弁が幾つかの構成要素を組立てることによって構成される場合も本発明の範囲から逸脱するものではない。充填弁は特に、ディスペンサー装置と共動するように構成した端部片を備えることができ、この端部片はエラストマー部分に対して可動である。
【００１５】
充填弁は再充填可能なユニットの本体に取付けられ得、これにより本体の製作が容易となる。
【００１６】
再充填可能なユニットの本体は、特にそれを通る開口を備えてもよく、充填弁はこの開口に配置される。
【００１７】
開口は、ユニットの内部空間に通じる凹部に配置され得、この凹部は例えば充填弁が再充填可能なユニット内にあまりしないようにでき、そして特に、充填弁と製品再充填可能な要素との接触を防ぐようにできる。充填弁は凹部から突出しないようにされ得る。
【００１８】
充填弁が可動部分を備える場合には、凹部が存在することにより特に、可動部分は製品再充填可能な要素によって妨げられることなく充填形態を取り得るように動くのに十分な空間をもつことができる。
【００１９】
充填弁は、容器のディスペンサー部材が充填弁から分離される時に充填弁を閉じた形態に自動的に戻す弾性戻し部材を備え得る。
【００２０】
弾性戻し部材は、例えば、充填弁のストッパー形成部分を備えた単一部片として構成したリップの形状であり得、ストッパー形成部分は本体における相応した開口内を動くことができる。
【００２１】
弾性戻し部材はまた、充填弁のストッパー形成部分を備えた単一部片として構成されないばね、特に本体の外表面と充填弁のストッパー形成部分に設けた肩部との間に弾性的に挿置されるらせん状ばねの形状であってもよい。
【００２２】
充填弁のストッパー形成部分は、充填弁が閉じた形態にある時には再充填可能なユニットの本体によって閉じられそして充填弁が充填形態にある時には内部空間に開放する少なくとも一つのオリフィス、特に少なくとも二つの直径上相対した同軸オリフィスを備えることができる。
【００２３】
充填弁のストッパー形成部分は、特に本体に対して動くことができる際には、充填弁と本体との接触表面の伸張を減少できるようにさせて、充填弁が本体に対して摩擦なしで比較的容易に動き得るようにする少なくとも一つのボスを備えることができる。
【００２４】
充填弁は、少なくとも一つの環状ボス、特に、好ましくは充填中に内部空間に達する前に製品を通すオリフィスの各側に配置した少なくとも二つの環状ボスを備えることができる。
【００２５】
この又はこれらのボスは、充填弁が閉じた形態にある時、充填弁が係合する開口を画定する壁と接触して配置され得る。
【００２６】
充填弁は、本体の開口に配置された固定部分と、容器のディスペンサー部材によって作用するスラスト、特にストッパー形成部分を固定部分から離れる方向に押すようにストッパー形成部分に対して支持するポンプ又は弁のステムによって作用するスラストの影響の下で固定部分に対して動くことのできるストッパー形成部分とを備えることができる。ストッパー形成部分は、特に、ヒンジ形成部分を介して固定部分に結合され得る。
【００２７】
充填弁は、再充填可能なユニットの本体内に充填弁を保持するヘッドを備えることができる。このへッドは、例えば、周囲部が薄く、そして例えば容器から供給される製品の流れを促進させるように隆起され得る壁、又はユニットの本体に対して自由縁部で支持する環状リップを備えることができる。
【００２８】
ユニットにおける製品再充填可能な要素は例えばアプリケータ部材から成り得、このアプリケータ部材は、それ自体できれば例えば、本体に取外し自在に固着された把持部材と一体であるか、又は本体と一体であり得る。後者の場合には、ユニットにおける容器から供給される製品は、処置すべき表面、例えば皮膚、粘膜又は外皮に塗布するためにアプリケータ部材を通って塗布表面に到達しなければならない。
【００２９】
アプリケータ部材は、充填弁が閉じた形態にありそして取外し可能なユニットが閉じられている時に、充填弁と随意に接触し得る。
【００３０】
アプリケータ部材は、広範囲の材料、特に、弾性的に変形可能な要素、特に発泡体をから成り得る。
【００３１】
ユニットは、取外し可能及び（又は）折畳み可能なハンドルを備えることができる。
【００３２】
ユニットは、製品再充填可能な要素と充填弁との間に挿置した格子を備えることができる。
【００３３】
容器は浸漬管を備えることができる。変形例として、容器はピストン及びディスペンサー部材、特にエアレス型のポンプを備えることができる。
【００３４】
本発明はまた、ディスペンサー部材を備えた容器を用いて製品を再充填できるユニットを有し；
このユニットが
本体と；
製品を再充填でき、ユニットの内部空間に収容され、本体によって少なくとも部分的に画定要素と；
本体に取り付けられ、ディスペンサー部材によって作用するスラストの影響のもとで内部空間を閉じた形態から充填形態へ移りそしてディスペンサー部材のない時には閉じた形態に戻るように構成される充填弁と；
を備えて成る製品の包装及び分与装置を提供する。
【００３５】
本発明は、添付図面を参照して、本発明を限定しない実施形態についての以下の詳細な説明から一層良く理解される。
【発明を実施するための最良の形態】
【００３６】
図１〜３に示す包装及び分与装置１は、フェースケアー製品又はボディケアー製品例えば、乳剤、ローション又は香水を含む化粧品を収容する容器２及び容器２から供給される製品を再充填できるユニット３を備えている。ユニット３は容器２に取外し可能に固着され得る。
【００３７】
容器２は分与部材４を備え、この分与部材４は考察している例では、ポンプ又は弁に付属し得る中空ステム５を備えている。図示した例において、製品は、装置の長手方向軸線Ｘに沿ってステム５を押すことにより供給され、製品はステム５の内側導管６を通って供給される。製品を供給させるのに十分なようにステムを押すのに必要な力は、例えば１０ｄａＮ以上、１２ｄａＮ台である。製品はまた、本発明の範囲から背逸脱せずに別の仕方、例えばステムと別個に設けた押ボタンを押すこと、又は適当にステムの固定される容器の壁を押すことによって作動することにより供給することもできる。
【００３８】
分与部材４を構成しているポンプ又は弁は任意の公知の形式のものでよい。容器２は概略的に示されており、本発明は容器の任意の特定のサイズ又は形状に限定されるものではない。特に、容器２は再充填可能なユニット３より相当に大きくできる。
【００３９】
このユニットは中空本体９を備え、この中空本体９は閉じカバー１０と共に内部空間１２を画定し、この内部空間１２には製品再充填要素１３が収容されている。この製品再充填要素１３は考察している例では、カバー１０に固着されたアプリケータ部材から成っている。アプリケータ部材１３は例えば、カバー１０の中央通路１４の一端に固着された発泡体であることができ、アプリケータ部材１３はできれば任意の形状、特に外方向に凸状の塗布面１６を備えている。
【００４０】
図示した例の場合のように、カバー１０は有利には、内部空間１２を密封するシーリングリップ１８を備えている。
【００４１】
本発明によれば、ユニット３は充填弁２０を備え、この充填弁２０は、ステム５と共動し、そして内部空間１２を閉じる図１に示す形態から、図２に示す充填形態に動くように構成され、図２に示す充填形態では、容器２から供給される製品は内部空間１２に入り、アプリケータ部材１３に製品を充填できるようにする。
【００４２】
考察している例では、充填弁２０は、特に図３に見られるように、本体９における開口２２に係合されている。
【００４３】
この開口２２は例えば軸線Ｘのまわりで軸対称である円筒形状であり、図示したように本体９の内面における凹部２４に開放し得る。
【００４４】
充填弁２０は、軸線Ｘに沿って開口２２内を動くことのできるストッパー形成部分２５及びステム５が充填弁２０引き抜かれる際にストッパー形成部分２５を閉じた形態に戻す弾性戻し部材２８を備え得る。
【００４５】
弾性戻し部材２８は、例えば、ストッパー形成部分２５の外方端部２９に接合された環状リップの形状であり、そして本体９の外表面３１に対して自由縁部３０を介して支持するまで本体９の方向に半径方向外方へのびている。
【００４６】
図３に見られるように、ストッパー形成部分２５は、本体９上に充填弁を保持する保持ヘッド３３を備え得、この保持ヘッド３３は例えば、周囲部が薄い壁３４を備え、そして充填弁が閉じた形態にある時に凹部２４の底部３６に当接する。
【００４７】
ストッパー形成部分２５はまた、少なくとも一つのオリフィス３８、例えば二つの直径上相対した同軸オリフィス３８を備え、これらのオリフィス３８は内側導管３９と連通し、この内側導管３９は、ステム５を受けるハウジング４０の端壁に開放しており、そしてステム５が図３に見られるように充填弁２０に係合される時、ステム５の内側導管６と連続している。
【００４８】
充填弁２０が閉じた形態にある時、オリフィス３８は開口２２を画定する本体９の壁に相対して開放しており、従ってこれらのオリフィス３８は閉じられる。充填弁２２は雰囲気から内部空間を遮断できる。
【００４９】
適当には、保持ヘッド３３はまた、凹部２４の底部３６に対して実質的に漏れなしで押すことにより密封シールを得るのに役立つ。変形例においては、閉止は単に凹部２４の底部３６に対して保持ヘッド３３を押し込むことによって漏れなしにされ得る。
【００５０】
ステム５が充填弁２０内に押し込まれ、ユニット３が下方向へ動かされてステム５を作動し、ステムを介して製品を供給させると、ストッパー形成部分２５は本体９に対して制限的に動き、オリフィス３８は凹部２４内に開放できる。
【００５１】
保持ヘッド３３は凹部２４の底部３６から分離され、ステム５を介して供給される製品は容器の内部空間１２に容易に到達し得る。ユニット３が解放されると及び（又は）ステム５が充填弁２０から引き抜かれると、充填弁は特に弾性戻し部材２８によって図１に示す閉じた形態に戻る。
【００５２】
従って、ユニット３の内部の製品は密封した環境に貯蔵され得、このことは、製品が香水のような揮発性配合物から成る場合に特に有益である。
【００５３】
好ましくは、充填弁２０は、製品がステムを介して供給される前にオリフィス３８が凹部２４に解放するようにされる。
【００５４】
図１〜図３に示す例では、充填弁２０は、熱可塑性材料、特にエラストマーを成形することによって単一部片として構成される。
【００５５】
当然、本発明の範囲から逸脱することなく、特に充填弁に対して種々の変更がなされ得る。
【００５６】
例として、図４には変形実施形態を示し、ストッパー形成部分２５はオリフィス３８の各側にそれぞれ配置された二つの環状ボス５１、５２を備えている。
【００５７】
ストッパー形成部分２５は、本質的にこれらの環状ボス５１、５２を介して開口２２を画定する本体９の壁と接触し、これにより、ストッパー形成部分２５と本体９との間の摩擦を低減でき、そしてステム５によるスラストの作用の下でストッパー形成部分２５の動きかを促進させることができる。
【００５８】
図５に示す変形例では、保持ヘッド３３はその周囲部に環状リップ５３を備え、この環状リップ５３の自由端部５４は凹部２４の底部３６に対して押圧する。
【００５９】
保持ヘッド３３は当然、他の形状に構成され得る。好ましくは、保持ヘッド３３は、開口２２への充填弁２２の挿入を容易にする形状に構成される。
【００６０】
図６に示す変形例では、弾性戻し部材２８は、ストッパー形成部分２５のまわりに配置した螺旋状ばねから成り、このばねの軸方向一端部は本体９の外表面３１に当接し、他端部はストッパー形成部分２５の外方端部に設けた円形フランジ６５に当接する。
【００６１】
図７に見られるように、充填弁２０は、静止状態の時には凹部２４から突出しないように構成され得る。
【００６２】
適当には、図８に例示したように、充填弁２０はユニット内部の製品再充填可能な要素の形状及び位置の関数として構成され得る。
【００６３】
充填弁には、例えば、製品再充填可能な要素に向って凹状の面８０が設けられ得る。
【００６４】
図９に示す例では、充填弁を支持するユニット３の壁は例えば、凹部２４への製品の流れを助けるために特に円錐形の少なくとも一つの凹部８１を備えることができる。適当には、オリフィス３８は、弁が閉じた形態にある時には凹部８１内に開放し、シールした閉止は、例えばヘッド３３、特にリップ５３を凹部の底部に対して押圧することにより得られる。
【００６５】
要素１３には図１０に示すように塗布面８２が設けられ得、塗布面８２は製品を蓄える少なくとも一つの中空部８３を備えている。
【００６６】
図１１及び図１２に示す変形実施形態では、充填弁２０は、開口２２に係合する固定部分５５及び固定部分５５に対して動くことのできるストッパー形成部分２５を備え、特にヒンジ形成部分５６を介して固定部分に接続される。
【００６７】
充填弁２０が静止形態にある時、ストッパー形成部分２５は図１１に示すように固定部分５５に対して漏れなしで押圧し得る。
【００６８】
ストッパー形成部分２５の内側面５７に容器のステム５によってスラストが作用すると、ストッパー形成部分２５は上昇し、固定部分５５と共に開口５９を形成し、製品を再充填可能なユニット３の内部空間１２に到達させる。ステム５は面５７に対して直接押圧し得るが、しかし、変形例として図示したように、ステム５の一端部には端部片６０を設けてもよく、この端部片６０は、開口５９内へ直接ステム５の内側導管６からの製品を分与するための横方開口６１を備え、製品を一層容易に流れさせるようにしている。適当には、ステム５の自由端部には、開口６１のような一つ以上の横方開口を備え得る。別の変形例として、ストッパー形成部分２５の面５７は、ステムがストッパー形成部分２５に当接する時、ステム５の内側導管６からの製品の流れを促進させる形状に構成され得る。
【００６９】
図１３に示す変形実施形態では、充填弁の端部片６０の下方部分はステム５に嵌合するように形成され、端部片６０の上方部分は噴霧器形成部分８５を備え、噴霧器形成部分８５は横方製品出口オリフィス８６を備えている。
【００７０】
この例では、充填弁はまた、プラスチック材料、特にエラストマーを成形することによって、ストッパー形成部分２５と共に単一部片として形成された戻し部材２８を備えている。
【００７１】
図示例では、戻し部材２８は、本体９の外表面３１に当接する撓み性リップの形状である。
【００７２】
ストッパー形成部分２５は、ステム５を引き抜いた時に、本体９の内側表面にストッパー形成部分２５を保持するため円錐形フランジ８９を備えたスリーブの形状である。
【００７３】
閉じた形態では、オリフィス８６は上記のスリーブによって閉じられる。
【００７４】
分与形態では、リップ２８は変形され、オリフィス８６はスリーブの外側に開放する。
【００７５】
アプリケータ部材１３は、代わりにカバー１０と一体でなくてもよいが、図１４に示すように本体９と一体であり得る。この場合、製品は例えばアプリケータ部材１３の多孔性のため、アプリケータ部材１３を通過して、塗布用面１６に達することができる。
【００７６】
図１５に示す別の変形例では、カバー１０は、使用者が容易に掴んで再充填可能な要素を操作できるように構成したハンドル９０を備えている。
【００７７】
このハンドル９０は、図１５に示すように取り外しできないか、又は図１６に示すように取外し可能にされ得る。図１６において、ハンドル９０は少なくとも二つの弾性的に変形可能なタブ９１を備え、これらのタブ９１は底部に出っ張り９２を備えている。再充填可能なユニットのカバー１０は開口９３及びタブ９１をスナップ嵌めするためのハウジングとして構成された少なくとも一つの溝９４を備えている。
【００７８】
また、図１６において、格子９５を支持する要素は再充填可能なユニットの本体９とカバー１０との間に挿置される。アプリケータ部材１３は格子９５を介して製品を捕捉し、製品は底部に充填弁２０を通って本体９内に収容される。本体９はその中に収容された製品を均質化するボール９６を収容している。
【００７９】
図１７に示す別の変形例では、ハンドル９０は折畳むことができる。
【００８０】
図１７に示すように、再充填可能なユニット３の上にはカバー１０が取付けられ、カバー１０の周囲にはヨーク型のハンドル９０が取付けられている。
【００８１】
ハンドル９０は図示したように、ユニットの下に折畳むことができ、そして例えば本体９上にカバー１０を保持するのを補助し得る。ハンドルは矢印の方向に回転され、そして点線示すように例えば水平に位置され得る。
【００８２】
容器２は、図１の形状と異なる種々の形状、特に図１８に示すように下方向へフレアー状の形状、又は図１９に示すようにほぼ円筒形状でもよい。
【００８３】
再充填可能なユニットのない場合には、容器２は、分与部材４を保護するように構成した閉じキャップ１００で覆われ得る。
【００８４】
図１８に示す容器２はポンプ及びディプ管を備えている。この容器２は例えば乳剤又はゲル状ローションのような液体製品を収容するように構成される。
【００８５】
図１９に示す容器は、例えばクリームゲルのような一層ペースト状の製品を収容し、そして容器の底部にピストン１０３を備えている。
【００８６】
図１９の容器２のポンプはエアーレスポンプであり、それでピストン１０３は、製品が送出されるにつれて容器内を上昇していく。ピストン１０３は例えば収縮性のバッグに変えることができる。
【００８７】
容器２に取付けられた図２０に示す再充電可能なユニット３は、図１４の実施形態の場合と同様に、本体９と一体のアプリケータ部材１３を備えている。本体９はハンドル９０によってのばされる。本体９は、図２１に示すように、カバー１０における相応した溝に収容するように構成した環状リブ１０４を備えたスカート１０５を備え、カバーは、弁２０を用いて製品を分与する時に、ユニット３に任意に配置され得る。
【００８８】
図示してない別の変形例では、図２０及び図２１に示す装置は、本発明の範囲から逸脱せずに、カバー１０を省略することができる。
【００８９】
当然、本発明は説明してきた実施形態に限定されない。
【００９０】
製品再充填可能な要素は特に、例えば製品を蓄え、そして圧搾時に解放できる発泡体から成るアプリケータ部材でなくてもよい。
【００９１】
特許請求の範囲を含む明細書の記載において、用語“有する、備える、又はから成る”は、特に注釈しない限り“少なくとも一つ有する、少なくとも一つ備える、又は少なくとも一つから成る”と同義であると理解されるべきである。
【００９２】
種々の実施形態の特徴は結合され得る。特に、図１４の装置に、図４〜図１３に示す充填弁を設けることができる。
【図面の簡単な説明】
【００９３】
【図１】本発明に従って構成した装置を、充填弁が閉じられた形態で示す概略部分縦断面図。
【図２】充填弁が充填形態にある時の図１の装置を示す図。
【図３】図１の細部の拡大断面図。
【図４】充填弁の一つの実施形態を示す断面図。
【図５】充填弁の別の実施形態を示す断面図。
【図６】充填弁の別の実施形態を示す断面図。
【図７】充填弁の別の実施形態を示す断面図。
【図８】充填弁の別の実施形態を示す断面図。
【図９】充填弁の別の実施形態を示す断面図。
【図１０】充填弁の別の実施形態を示す断面図。
【図１１】充填弁の別の実施形態を示す断面図。
【図１２】充填弁の別の実施形態を示す断面図。
【図１３】充填弁の別の実施形態を示す断面図。
【図１４】充填弁の別の実施形態を示す断面図。
【図１５】本発明による装置の別の実施形態を示す概略部分縦断面図。
【図１６】再充填可能なユニットの別の実施形態を示す概略縦断面図。
【図１７】再充填可能なユニットの別の実施形態を示す概略側面図。
【図１８】容器の変形実施形態を示す断面図。
【図１９】容器の変形実施形態を示す断面図。
【図２０】図１８の容器を備えた本発明による装置の変形実施形態を示す概略部分縦断面図。
【図２１】図２０の再充填可能なユニットを示す概略縦断面図。
【符号の説明】
【００９４】
１：包装及び分与装置
２：容器
３：ユニット
４：分与部材
５：中空ステム
６：内側導管
９：中空本体
１０：閉じカバー
１２：内部空間
１３：製品再充填要素（アプリケータ部材）
１４：中央通路
１６：塗布面
１８：シーリングリップ
２０：充填弁
２２：開口
２４：凹部
２５：ストッパー形成部分
２８：弾性戻し部材
２９：外方端部
３０：自由縁部
３１：外表面
３３：保持ヘッド
３４：壁
３６：底部
３８：オリフィス
３９：内側導管
４０：ハウジング
５１：環状ボス
５２：環状ボス
５３：環状リップ
５４：自由端部
５５：固定部分
５６：ヒンジ形成部分
５７：内側面
５９：開口
６０：端部片
６１：横方開口
６５：円形フランジ
８０：面
８２：塗布面
８３：中空部
８５：噴霧器形成部分
８６：横方製品出口オリフィス
８９：円錐形フランジ
９０：ハンドル
９１：タブ
９２：出っ張り
９３：開口
９５：格子
９６：ボール
１００：閉じキャップ
１０３：ピストン
１０４：環状リブ
１０５：スカート
【図１】
2005087736.tif 000003
【図２】
2005087736.tif 000004
【図３】
2005087736.tif 000005
【図４】
2005087736.tif 000006
【図５】
2005087736.tif 000007
【図６】
2005087736.tif 000008
【図７】
2005087736.tif 000009
【図８】
2005087736.tif 000010
【図９】
2005087736.tif 000011
【図１０】
2005087736.tif 000012
【図１１】
2005087736.tif 000013
【図１２】
2005087736.tif 000014
【図１３】
2005087736.tif 000015
【図１４】
2005087736.tif 000016
【図１５】
2005087736.tif 000017
【図１６】
2005087736.tif 000018
【図１７】
2005087736.tif 000019
【図１８】
2005087736.tif 000020
【図１９】
2005087736.tif 000021
【図２０】
2005087736.tif 000022
【図２１】
2005087736.tif 000023
【外国語明細書】
2005087736.tif 000024
2005087736.tif 000025
2005087736.tif 000026
2005087736.tif 000027
2005087736.tif 000028
2005087736.tif 000029
2005087736.tif 000030
2005087736.tif 000031
2005087736.tif 000032
2005087736.tif 000033
2005087736.tif 000034
2005087736.tif 000035
2005087736.tif 000036
2005087736.tif 000037
2005087736.tif 000038
2005087736.tif 000039
2005087736.tif 000040
2005087736.tif 000041
2005087736.tif 000042
2005087736.tif 000043
2005087736.tif 000044
2005087736.tif 000045
2005087736.tif 000046